(57)【要約】【課題】夜間等におけるキッチン設備の取っ手の使い勝手を向上すること。【解決手段】引出し８や扉９等を備えたキッチンカウンター１において、その引出し８や扉９等に備えられる取っ手１０に、下向き内面に蓄光材が設けられた指掛け部１１と、この指掛け部１１にその下方位置で対向配置され上向き内面に上方からの外来光を該指掛け部１１に向けて反射する反射面を有する光反射部１２とを備えた構成。【選択図】図２
2008104554.tif 000002
【特許請求の範囲】
【請求項１】
キッチン設備の使用上において必要とされる特定部位に蓄光材を設けた、ことを特徴とするキッチン設備。
【請求項２】
上記特定部位がキッチン設備の引出しや扉等に備えられる取っ手である、ことを特徴とする請求項１に記載のキッチン設備。
【請求項３】
上記取っ手は、使用者が指を掛けることが可能な下向き内面を有する指掛け部を備え、この指掛け部の下向き内面に蓄光材を設けた、ことを特徴とする請求項２に記載のキッチン設備。
【請求項４】
上記取っ手は、外来光を該指掛け部に向けて反射する反射面となる光反射部を備えた、ことを特徴とする請求項３に記載のキッチン設備。
【請求項５】
上記取っ手は、上記指掛け部と上記光反射部との対向間に周囲外来光を導入させるための開口を備えた、ことを特徴とする請求項４に記載のキッチン設備。
【請求項６】
上記取っ手は、
下向き内面に蓄光材が設けられた指掛け部と、
上記指掛け部にその下方位置で対向配置され上向き内面に上方からの外来光を該指掛け部に向けて反射する反射面を有する光反射部と、
上記指掛け部と光反射部を一端側で中継接続する中継部と、
を備え、
上記指掛け部と光反射部の他端側対向間に周囲外来光を入り込ませる開口を備えた、ことを特徴とする請求項２に記載のキッチン設備。
【請求項７】
上記光反射部は上記中継部との境界領域で立ち上がり傾斜面になっている、ことを特徴とする請求項６に記載のキッチン設備。
【請求項８】
上記指掛け部の上記開口側一端側が下方に折れ下がって、上記蓄光材がダウンライト光源として取っ手内部で発光可能とした、ことを特徴とする請求項２ないし７のいずれかに記載のキッチン設備。
【請求項９】
上記指掛け部の上向き内面が上向きに凹んでいる、ことを特徴とする請求項２ないし８のいずれかに記載のキッチン設備。
【請求項１０】
上記取っ手がラインタイプである、ことを特徴とする請求項２ないし９のいずれかに記載のキッチン設備。
【請求項１１】
上記キッチン設備が、カウンタートップと、このカウンタートップに少なくともＩＨ型クッキングヒータとシンクとが並列に組み込まれてユニット化されていると共にそのクッキングヒータ前方のカウンタートップにガードパネルが立設されたキッチンカウンターであり、
上記特定部位が、ガードパネルであり、このガードパネルに蓄光材が設けられている、ことを特徴とする請求項１に記載のキッチン設備。
【請求項１２】
上記ガードパネルの蓄光材は、模様化されて設けられている、ことを特徴とする請求項１０に記載のキッチン設備。
【請求項１３】
上記キッチン設備が布巾掛けであり、上記特定部位が当該布巾掛けアームの先端部であり、この先端部に蓄光材が設けられている、ことを特徴とする請求項１に記載のキッチン設備。
【発明の詳細な説明】
【技術分野】
【０００１】
本発明は、システムキッチン用として一体化された各種キッチン設備並びにシステムキッチンとして一体化されていないがこれに付属してその周囲で用いる各種キッチン設備に関する。
【背景技術】
【０００２】
キッチン設備の一つであるキッチンカウンターではキッチン空間を、ダイニングルーム、リビングルーム、リビング兼ダイニングルーム等の隣接ルームから仕切って設置される対面式のキッチンカウンターがある（特許文献１）。
【０００３】
このようなキッチンカウンターには各種の引出しや扉に取っ手が設けられている。
【０００４】
また、近年、多用されつつある対面式キッチンカウンターのクッキングヒータやシンクの前方には、飛散したオイルを受け止めるガードパネルが立設されている。
【０００５】
さらに、これらキッチンカウンターの周部の壁面等には布巾掛けが配備されている。
【０００６】
このような取っ手、布巾掛けは、キッチンカウンター使用者が日常頻繁に使用するものであり、また、ガードパネルは対面式のキッチンカウンターではオイルの飛散防止には必要である。
【０００７】
キッチンカウンター周囲は昼間であれば照明がなくても明るいが、夕方や夜間等ではキッチンカウンター周囲の照明が必須となる。このような照明が使用者の操作や停電等により消灯すると、キッチンカウンターの取っ手あるいはその周囲の布巾掛け等は見えにくくなり、使い勝手が低下する。
【０００８】
また、ラインタイプの取っ手の場合、全体に統一感が持たせることができるが、その反面、取っ手の取り付け面が平坦になって変化やアクセントに乏しくなり、夜間等では特にその傾向が強くなる。
【０００９】
さらに、ガードパネルも、ガラス板等の平坦で硬質な面が立設しただけであり、キッチンカウンターの意匠性、装飾性の低下をもたらし易く、変化やアクセントに乏しくなる傾向にある。
【００１０】
特に、夜間等ではその傾向が強くなる。特にガードパネルが破損したときキッチン周囲に破損片が多数散乱し、夜間等ではその破損片が見えにくくなる。
【００１１】
さらに、布巾掛けは数本の布巾掛けアームを基端を中心に水平方向揺動可能に支持され、それら布巾掛けアームの先端部分がキッチン空間で使用者の通路内に突き出ていることが多く、夜間等の暗い場合では、使用者が布巾掛けアームの先端部分に衝突したり接触したりするなどの不具合を生じることもある。
【特許文献１】特開２００５−３０４８７５号公報
【発明の開示】
【発明が解決しようとする課題】
【００１２】
したがって、本発明により解決すべき課題は、夕方や夜間等のようにキッチン周囲の照明が必要な使用環境において使用者の操作や停電等により照明が消灯した場合でも、使用者のキッチン設備の使用上における使い勝手を向上することに加えて、使用上の興趣を増大可能とした付加価値を増すことである。
【課題を解決するための手段】
【００１３】
（１）本発明では、キッチン設備の使用上において必要とされる特定部位に蓄光材を設けたことを特徴とするものである。
【００１４】
キッチン設備は、特に限定されない。
【００１５】
キッチン設備には、例えば、システムキッチン用として一体化された各種キッチン設備や、システムキッチンとして一体化されていなくても、これに付属してその周囲で用いる各種キッチン設備や、上記付属していなくて単独で用いるキッチン設備も含む広い概念である。
【００１６】
上記特定部位は、特に限定せず、キッチン設備の使用上において必要とされる特定部位であればよく、例えば引出しや扉等の取っ手、ガードパネル、布巾掛け等がある。
【００１７】
蓄光材は、周囲外来光の蓄光が可能な位置に設けるとよい。
【００１８】
本発明では、昼間時の太陽光や夕方や夜間等では蛍光灯等により蓄光材に蓄光しておき、夕方や夜間等あるいは昼間でも暗い使用環境下で使用者の操作や停電やその他の事情により照明が消灯した場合、蓄光材が消灯までに蓄積したエネルギにより発光して特定部位を明るくすることにより使用者のキッチン設備の使用上における使い勝手を向上することができる。
【００１９】
特に、特定部位が多数ある場合、その周囲の状況を各特定部位それぞれの蓄光材の発光で明るくなり、周囲の状況を容易に把握することができるようになる。
【００２０】
（２）本発明では、上記特定部位がキッチン設備の引出しや扉等に備えられる取っ手であることが好ましい。
【００２１】
特に、上記取っ手は、使用者が指を掛けることが可能な下向き内面を有する指掛け部を備え、この指掛け部の下向き内面に蓄光材を設けた態様が好ましい。この態様では、周囲外来光を該指掛け部の下向き内面の蓄光材にエネルギとして蓄積することができる。そして、この場合、指掛け部は下向き内面に蓄光材を設けたから、蓄光材で蓄積した光エネルギは直接、前方に放出されにくく、放出した光はソフトに特定部位を照明することができる結果、使用者にとりその使い勝手が向上するだけでなく、好ましい照明状態を得ることができる。特に、照明範囲としては特定部位あるいはその周囲だけで十分な場合、蓄光材に蓄積した光エネルギを徐々に放出するうえで好ましい。
【００２２】
また、蓄光材の発光を直接、前方に放出させず、放出した光によりソフトに特定部位を照明するようにした場合、キッチン設備全体の意匠性がその発光のみで強く印象付けられずに済むと共に、キッチン設備全体の意匠性を保持しつつ、使用者に取っ手の存在を間接的にソフトに認識可能とすることができ、斬新な意匠性を付与することができるようになって好ましい。
【００２３】
特に、この態様では、取っ手をアルミ材で押出し成形したり、取っ手内面を白色塗装すると、取っ手の反射部の上向き内面で反射させた周囲外来光を効率よく蓄光材に蓄光することができる。
【００２４】
また、周囲環境が暗くなると、蓄光材から出た光がダウンライトのように取っ手周囲を照射し、取っ手の内面がソフト（ほのか）に、光らせることができることになり、意匠的にも斬新となる。
【００２５】
また、上記取っ手は、上向き内面が外来光を該指掛け部に向けて反射する反射面となる光反射部を備えた態様とすることが好ましい。
【００２６】
また、上記取っ手は、上記指掛け部と光反射部とをそれぞれのキッチン設備側の一端側で中継接続する中継部を備え、上記指掛け部と光反射部それぞれの他端側の対向間に周囲外来光を導入させるための開口を設けた態様とすることが好ましい。
【００２７】
特に、上記光反射部は上記中継部との境界領域で立ち上がり傾斜面になっていることが好ましい。
【００２８】
また、上記指掛け部の上記開口側一端側が下方に折れ下がって、上記蓄光材がダウンライト光源として取っ手内部で発光可能とした態様とすることが好ましい。
【００２９】
以上の取っ手はラインタイプであることが好ましい。
【００３０】
上記態様を備えた本発明では、光反射部により周囲外来光を指掛け部に向けて反射することにより指掛け部の下向き内面の蓄光材を照射することができる。これによって指掛け部の蓄光材に光エネルギを蓄光することができる。
【００３１】
この場合、周囲外来光である照明装置からの光や自然光が照射される状態では、上方からの光が取っ手における反射部の上向き内面で反射されて、指掛け部の下向き内面に備えた蓄光材に照射されて蓄光が行われるが、この場合、取っ手をアルミ材で押出し成形したり、取っ手内面を白色塗装すると、取っ手における反射部の上向き内面で反射させた外光を効率よく蓄光材に照射して蓄光することができる。
【００３２】
以上から本発明では、好ましくは上記キッチン設備が、引出しや扉等を備えたキッチン設備であり、上記特定部位がこれらキッチン設備の引出しや扉等に備えられる取っ手であり、この取っ手は、下向き内面に蓄光材が設けられた指掛け部と、上記指掛け部にその下方位置で対向配置され上向き内面に上方からの外来光を該指掛け部に向けて反射する反射面を有する光反射部と、上記指掛け部と光反射部を一端側で中継接続する中継部と、を備え、上記指掛け部と光反射部の他端側の対向間に周囲外来光を入り込ませる開口を設けた構成とすることができる。
【００３３】
（３）本発明では、キッチン設備が、カウンタートップと、このカウンタートップに少なくともＩＨ型クッキングヒータとシンクとが並列に組み込まれてユニット化されていると共にそのクッキングヒータ前方のカウンタートップにガードパネルが立設されたキッチンカウンターであり、上記特定部位が、ガードパネルであり、このガードパネルに蓄光材が設けられていることが好ましい。
【００３４】
この場合、蓄光材は模様化されていることがより好ましい。
【００３５】
この態様では、幅広く、かつ、高く立設されたガードパネルが蓄光材によって光ることで、離れた位置からでも容易にキッチン設備の配置を把握することができる。
【００３６】
また、ガードパネルが破損してその破損片が散乱する状況ではその破損片が発光することにより、破損片の位置が分かり、破損片を踏み付けたりするおそれが減り、また、破損片の片付けにも好適である。
【００３７】
特に、ガードパネルは蓄光材が模様化されているのでキッチンカウンターの意匠感を高められるうえ、特に、キッチン側の照明を消してダイニング（あるいはリビング）側から見ると、その蓄光材による模様が浮かび上がるようにして視認され、その視覚的な興趣を高めることになる。
【００３８】
（４）本発明では、上記キッチン設備が布巾掛けであり、上記特定部位が当該布巾掛けアームの先端部であり、この先端部に蓄光材が設けられていることが好ましい。
【００３９】
この構成によると、夜間等では布巾掛けアームの先端部が蓄光材で発光しているので、使用者が暗闇で布巾掛け近傍を移動中、不用意に布巾掛けアームの先端部に突き当たるようなことを容易に回避することができるようになる。
【発明の効果】
【００４０】
本発明によれば、消灯時や停電時においても暗闇の中でキッチン設備における特定部位の存在を目視できるので、キッチン設備の使い勝手が大きく向上するうえ、意匠的にも趣向を凝らすことも可能となり、その商品価値を高める効果も期待できる。
【発明を実施するための最良の形態】
【００４１】
以下、添付した図面を参照して本発明の実施の形態に係るキッチン設備を詳細に説明する。
【００４２】
図１にキッチン設備の一例として対面式のキッチンカウンター１を示している。このキッチンカウンター１は、フルフラットのカウンタートップ２にＩＨ型のクッキングヒータ３とシンク４とを装備するとともに、ビルトイン型のグリル５や食器洗浄器６、等を組み込んでユニット化したものであり、カウンタートップ２のリビング・ダイニング側にはクッキングヒータ３の前方を遮るようにガードパネル７が立設されている。
【００４３】
このガードパネル７はクッキングヒータ３上でのクッキングの際のオイルの飛散を防止するパネルであり、左右で対向する一対の支持フレーム７ａの間に強化ガラスからなる透明なガラス板７ｂを嵌め込み支持して構成されている。
【００４４】
キッチンカウンター１のキッチン空間側には、収納用の引出し８や収納空間を開閉する扉９が備えられ、これらを操作する取っ手１０が設けられている。この取っ手１０は、キッチンカウンター１の使用者がキッチンカウンターの使用上において必要とされる特定部位になる。
【００４５】
図２にキッチンカウンターの引出し８や扉９等に備えられるラインタイプの取っ手１０の外観を拡大して示し、図３にその正面構成を一部破断して示し、図４にその断面構成を示し、図５に周囲外来光による蓄光状態を示している。
【００４６】
図２ないし図４で示すように、取っ手１０は、前方に突出するフック形状の指掛け部１１と、これに下方から対向する光反射部１２と、これら１１，１２を中継接続する縦壁状の中継部１３と、を備えたものであり、アルミ材の押出し成形素材から形成され、成形された素材を所望の長さに切断して横長のラインタイプに構成されている。
【００４７】
取っ手１０の左右両端には樹脂成形材からなる保護キャップ１４が嵌め付け固定されて切断端が隠されるとともに、指掛け部１１の下向き内面１１ａにテープ状の蓄光材１５が貼り付けられるか、あるいは、液状の蓄光材１５が塗布されている。
【００４８】
この蓄光材１５は、太陽光や蛍光灯などの光の刺激を受けてエネルギを吸収し、吸収したエネルギを可視光に変換して、刺激停止後も光を徐々に放出しながら、或る時間発光し続ける材料であり、これを永く反復する機能を持つものである。
【００４９】
蓄光材１５はその組成を特に限定しないが、例えば、硫化亜鉛に銅を加えたものや、アルミン酸ストロンチウム（ＳｒＡｌ2Ｏ4）を結晶母体として、ユウロビウム（Ｅｕ）やジスプロシウム（Ｄｙ）などの希土類元素を添加したものなどが知られる。
【００５０】
光反射部１２は、図５で示すように、指掛け部１１に対し下方位置で対向しその上向き内面１２ａが上方からの外来光１７を該指掛け部１１の下向き内面１１ａに向けて反射する反射面となる。
【００５１】
中継部１３は、指掛け部１１の端部側１１ｂと光反射部１２の端部側１２ｂとを上下に対向した状態に中継接続するものであり、キッチンカウンター１の引出し８や扉９側に固着される。
【００５２】
指掛け部１１と光反射部１２それぞれの他端部側１１ｃ，１２ｃの対向間は周囲外来光１７が入り込む開口１６になっている。
【００５３】
光反射部１２の上向き内面１２ａは開口１６の入口から奥方向にかけて平坦領域が続くと共に中継部１３との境界近傍で立ち上がる傾斜領域１２ｄになっている。
【００５４】
指掛け部１１は、その開口側端部１１ｃは下方に折れ下がり、指掛け部１１の下向き内面１１ａが上方に凹んだ形状になっている。
【００５５】
以上の構成において、昼間時の太陽光や蛍光灯等の周囲外来光１７は取っ手１０の開口１６から取っ手１０内部に入り込み、光反射部１２で反射されて、指掛け部１１の蓄光材１５で蓄光される。特に、周囲外来光１７は光反射部１２の上向き内面１２ａで良好に反射され、指掛け部１１の蓄光材１５に蓄光される。
【００５６】
以上のようにして照明等による光エネルギは蓄光材１５に蓄光される。使用者の操作や停電等により照明が消灯した場合、蓄光材１５はその蓄光したエネルギにより発光して取っ手１０をダウンライト状態でソフトに照明することができることにより使用者のキッチンカウンター１の使用上における使い勝手を向上する。
【００５７】
指掛け部１１の下向き内面１１ａの形状は、平坦、湾曲のいずれでもよい。また、湾曲する場合は、半円形、半楕円形、逆Ｖ字形、等でもよい。また、光反射部１２の上向き内面１２ａの形状も平坦、湾曲のいずれでもよい。また、湾曲する場合は、半円形、半楕円形、逆Ｖ字形、等でもよい。
【００５８】
さらに、取っ手１０は引出し８や扉９の平坦な前面から前方に突出した形態でなくてもよく、図６、図７で示すように引出し８や扉９の前面８ａ，９ａの凹所を取っ手１０とした形態でもよい。
【００５９】
図６は引出し８や扉９の前面８ａ，９ａの斜視図、図７は図６の断面図である。引出し８や扉９の前面８ａ，９ａの凹所からなる取っ手１０の上側部分が指掛け部１１となり、下側部分が光反射部１２となる。そして、この指掛け部１１の下向き内面１１ａに蓄光材１５が設けられ、光反射部１２の上向き内面１２ａで反射した周囲外来光が上記蓄光材１５に蓄光されるようになっている。
【００６０】
上記の場合、引出し８や扉９の平坦な前面に設けた凹所から突出していないので、指掛け部１１と、光反射部１２と、これら１１，１２を中継接続する縦壁状の中継部１３とを適宜の素材で一体化した部材を上記凹所に嵌め込む形態とすることができる。
【００６１】
図８は、本発明の他の実施の形態に係るキッチンカウンターの斜視図である。図８のキッチンカウンターは図１のキッチンカウンターとは異なって、キッチン側とは反対側から見た図である。図８において図１と対応する部分には同一の符号を付し、その同一の符号に係る部分の説明はガードパネル７および布巾掛け２１を除いて省略する。
【００６２】
図９はガードパネル７の拡大正面図、図１０はキッチン側の照明が消灯した状態でのガードパネル７の拡大正面図、図１１はキッチン側の照明が消灯した状態でのガードパネル７の破損状態を示す斜視図である。
【００６３】
図９で示すようにガードパネル７に蓄光材１５を設けている。ガードパネル７には、ステンレス鋼などの金属材からなる左右の支持フレーム７ａの間に強化ガラスからなる透明なガラス板７ｂを嵌め込み支持して構成されている。この支持フレーム７ａに蓄光材１５が設けられている。消灯時や停電時には、支持フレーム７ａに設けた蓄光材１５の発光により、キッチン設備の配置を把握することができる。
【００６４】
また、ガラス板７ｂの背面（リビング・ダイニング側）の全面に飛散防止フィルム７ｃが貼り付けられている。飛散防止フィルム７ｃは、ポリエステル樹脂などからなる数十ミクロンの薄膜であり、ガラス板７ｂが破損しても周囲に散らばることが防止される。
【００６５】
そして、飛散防止フィルム７ｃには、蓄光材１５で模様Ｆが描かれており、キッチン側の照明を消すと、図１０で示すように蓄光材で描かれた模様Ｆが浮かび上がって見えるようになっている。また、消灯時や停電時には、蓄光材１５からなる模様Ｆが発光することで、キッチン設備の配置を把握することができる。
【００６６】
飛散防止フィルム７ｃが設けられていない場合、ガードパネル７のガラス板７ｂの全面に蓄光材１５を塗布し、消灯時や停電時においても、ガードパネル７の立設位置を容易に目視確認することができるようにすると共に、夜間等においてガラス板７ｂが破損しその破損片７ｄが床上に多数散乱しても、図１１で示すように暗闇の中で破損片７ｄが蓄光材１５で発光することで、使用者が誤って破損片７ｄを踏付けてしまうようなことを回避できる。
【００６７】
また、図１２、図１３で示すように布巾掛け２１の布巾掛けアーム２１ａの先端部に蓄光材１５を設けている。図１２は布巾掛け２１の斜視図、図１３はキッチン側の照明が消灯した状態での布巾掛け２１の状態を示す斜視図である。
【００６８】
布巾掛け２１は、壁面に取り付けられた支持部材２１ａに、ステンレス鋼などのパイプ材からなる複数本の布巾掛けアーム２１ｂが、それぞれ基端２１ｂを中心に横揺動可能に支持されており、各布巾掛けアーム２１ｃの先端２１ｄに保護キャップ２１ｅが嵌め込み固定されている。保護キャップ２１ｅは、樹脂材で半球状に形成されており、この保護キャップ２１ｅに蓄光材１５が塗布、あるいは、混入されて、消灯時や停電時においても布巾掛けアーム２１ｃの先端部２１ｄが光って見え、不用意に使用者が布巾掛けアーム２１ｃに衝突したりするようなことを回避することができる。
【００６９】
なお、ガードパネル７の支持フレーム７ａにテープ状の蓄光材１５を貼付けたり、あるいは、液状の蓄光材１５を塗布しておくことで、消灯時や停電時にガードパネル７の立設位置を目視確認できるようにして実施するようにしてもよい。
【００７０】
また、キッチンカウンター１に立設したガードパネル７としてクッキングヒータ３の前方に立設するオイル飛散防止用のガードパネル７を例示したが、シンク４の前方に水飛散防止用のガードパネルを立設する場合にも上記と同様に構成して実施することもできる。
【００７１】
さらに、キッチン設備としてキッチンカウンターを例に挙げたが、図１４で示すように、カップボード２２の取っ手１０に上記取っ手１０と同様の蓄光材による照明可能な構造としてもよい。
【図面の簡単な説明】
【００７２】
【図１】図１は本発明の実施の形態に係るキッチンカウンターの斜視図である。
【図２】図２は図１の引出しや扉の取っ手の部分を拡大して示す斜視図であり、
【図３】図３は取っ手の正面図である。
【図４】図４は取っ手の断面図である。
【図５】図５は取っ手に周囲外来光が入り込み蓄光される状態を示す断面図である。
【図６】図６は取っ手の変形例を示す斜視図である。
【図７】図７は図６の断面図である。
【図８】図８は図１とは反対方向から見たキッチンカウンターの斜視図である。
【図９】図９はガードパネルの拡大正面図である。
【図１０】図１０はキッチン側の照明が消灯した状態でのガードパネルの拡大正面図である。
【図１１】図１１はキッチン側の照明が消灯した状態でのガードパネル７の破損状態を示す斜視図である。
【図１２】図１２は布巾掛けの斜視図である。
【図１３】図１３はキッチン側の照明が消灯した状態での布巾掛けの状態を示す斜視図である。
【図１４】図１４はキッチン設備の他の例として示すカップボードの正面図である。
【符号の説明】
【００７３】
１  キッチンカウンター
２  カウンタートップ
７  ガードパネル
８  引出し
９  扉
１０  取っ手（１１は指掛け部、１２は光反射部）
【図１】
2008104554.tif 000003
【図２】
2008104554.tif 000004
【図３】
2008104554.tif 000005
【図４】
2008104554.tif 000006
【図５】
2008104554.tif 000007
【図６】
2008104554.tif 000008
【図７】
2008104554.tif 000009
【図８】
2008104554.tif 000010
【図９】
2008104554.tif 000011
【図１０】
2008104554.tif 000012
【図１１】
2008104554.tif 000013
【図１２】
2008104554.tif 000014
【図１３】
2008104554.tif 000015
【図１４】
2008104554.tif 000016